(57)【要約】【課題】低価格でありながら使用性や信頼性の高い電気掃除機を提供する。【解決手段】掃除機本体に着脱自在に接続され端部に先端パイプを有するホース（図示せず）と、このホースの先端パイプ３に着脱自在に接続され、他端に吸い込み具を着脱自在に接続した延長管４と、前記ホースの先端パイプに装着した補助吸い込み部６とを備え、前記補助吸い込み部６は略筒状に形成して前記先端パイプの端部より常時突出する状態で装着するとともに、この突出状態のまま前記先端パイプ３への延長管の接続が可能な構成としてあり、保持吸い込み部は延長管接続時に先端パイプ側に移動させる構成をとる必要がなく、かつ、補助吸い込み具に延長管との接続連結部を設ける必要もなくなり、着脱機構部を減らすことが出来て、関連する部品を廃止し、製品の重量、コストを削減し、低価格でありながら使用性や信頼性を高めることができる。【選択図】図２
2005334414.tif 000002
【特許請求の範囲】
【請求項１】
掃除機本体に着脱自在に接続され端部に先端パイプを有するホースと、このホースの先端パイプに着脱自在に接続され、他端に吸い込み具を着脱自在に接続した延長管と、前記ホースの先端パイプに装着した補助吸い込み部とを備え、前記補助吸い込み部は略筒状に形成して前記先端パイプの端部より常時突出する状態で装着するとともに、この突出状態のまま前記先端パイプへの延長管の接続が可能な構成とした電気掃除機。
【請求項２】
補助吸い込み部の筒状壁の一部に少なくと1つの開口を設けた請求項１に記載の電気掃除機。
【請求項３】
補助吸い込み部に、前記補助吸い込み部の前方開口を閉塞するフタを設けた請求項１又２に記載の電気掃除機。
【請求項４】
フタの一部に開口部を設けた請求項３に記載の電気掃除機。
【請求項５】
開口部に格子を設けた請求項４に記載の電気掃除機。
【請求項６】
補助吸い込み部を先端パイプに着脱自在とした請求項１〜５のいずれか１項に記載の電気掃除機。
【請求項７】
補助吸い込み部の延長管側端面を下部が上部より突出するように略斜め形状とした請求項請求項１〜６のいずれか1項に記載の電気掃除機。
【請求項８】
補助吸い込み部の延長管側端部の少なくとも下部に斜め下方に突出するブラシを設けた請求項１〜７のいずれか1項に記載の電気掃除機。
【請求項９】
フタを補助吸い込み部に回動自在に取りつけた請求項３〜８のいずれか１項に記載の電気掃除機。
【請求項１０】
フタの回動軸を補助吸い込み部の下部に取り付けた請求項９に記載の電気掃除機。
【請求項１１】
フタを補助吸い込み部の前方開口を閉塞する方向に付勢するバネ体を設けた請求項９又１０に記載の電気掃除機。
【請求項１２】
フタが前方開口を閉塞した時に、延長管の先端パイプ側端面に対して傾斜しているようにした請求項１１記載の電気掃除機。
【請求項１３】
フタの閉塞時における傾斜角度を、補助吸い込み部の延長管側端面の傾斜角度と略同一に設定した請求項１２に記載の電気掃除機。
【発明の詳細な説明】
【技術分野】
【０００１】
本発明は電気掃除機に関するもので、特に、補助吸い込み具を備えた電気掃除機に関するものである。
【背景技術】
【０００２】
従来のこの種の電気掃除機について図５、６を用いて説明する。図５は従来の電気掃除機の全体図、図６は同電気掃除機の補助吸い込み具を接続している部分の断面図である。
【０００３】
図５において、７０１は掃除機本体で、ホース７０２の一端は掃除機本体７０１に接続され、他端に補助吸い込み具１０１が接続されている。延長管７０３の一端は補助吸い込み具１０１に、他端は、床用吸い込み具７０４に夫々接続されている（例えば、特許文献１参照）。
【特許文献１】特許第３３４４１３６号公報
【発明の開示】
【発明が解決しようとする課題】
【０００４】
しかしながら、上記従来の構成では、図５、６に示されるように、補助吸い込み具１０１には、延長管７０３との接続部、ホース７０２との接続部と、２箇所に接続のための構成を設ける必要があり、かつこれら２箇所の接続部のいずれにも床用吸い込み具７０４を操作する際に強い応力が常にかかることになり、その結果、図６に示すように構造的に部品点数が増加、強度的にもコストや重量がかかるものとなっていた。
【０００５】
また、上記従来例は電気的接続を伴わない構成であるが、床用吸い込み具７０４に、回転ブラシを駆動する電動機等の電気部品を設ける場合、ホース７０２、延長管７０３に導電線を配すると共に、補助吸い込み具１０１の各部に電気的接続部を設けなければならないが、その場合は更に部品点数が増加し、それに伴い構成や組み立ても複雑化してしまい、さらにコストや重量が増加することになってしまう。
【０００６】
本発明は上記従来の課題を解決するもので、部品点数、重量、コストなどを削減し、低価格でありながら使用性や信頼性の高い電気掃除機を提供することを目的とするものである。
【課題を解決するための手段】
【０００７】
前記従来の課題を解決するために、本発明の電気掃除機は、掃除機本体に着脱自在に接続され端部に先端パイプを有するホースと、このホースの先端パイプに着脱自在に接続され、他端に吸い込み具を着脱自在に接続した延長管と、前記ホースの先端パイプに装着した補助吸い込み部とを備え、前記補助吸い込み部は略筒状に形成して前記先端パイプの端部より常時突出する状態で装着するとともに、この突出状態のまま前記先端パイプへの延長管の接続が可能な構成としてある。
【０００８】
これにより保持吸い込み部は延長管接続時に先端パイプ側に移動させる構成をとる必要がなく、かつ、補助吸い込み具に延長管との接続連結部を設ける必要もなくなり、着脱機構部を減らすことが出来て、関連する部品を廃止し、製品の重量、コストを削減し、低価格でありながら使用性や信頼性を高めることができる。
【発明の効果】
【０００９】
本発明の電気掃除機は、構成が簡素で、使用性に優れ信頼性が高いものである。
【発明を実施するための最良の形態】
【００１０】
第１の発明は、掃除機本体に着脱自在に接続され端部に先端パイプを有するホースと、このホースの先端パイプに着脱自在に接続され、他端に吸い込み具を着脱自在に接続した延長管と、前記ホースの先端パイプに装着した補助吸い込み部とを備え、前記補助吸い込み部は略筒状に形成して前記先端パイプの端部より常時突出する状態で装着するとともに、この突出状態のまま前記先端パイプへの延長管の接続が可能な構成としてあり、保持吸い込み部は延長管接続時に先端パイプ側に移動させる構成をとる必要がなく、かつ、補助吸い込み具に延長管との接続連結部を設ける必要もなくなり、着脱機構部を減らすことが出来て、関連する部品を廃止し、製品の重量、コストを削減し、低価格でありながら使用性や信頼性を高めることができる。
【００１１】
第２の発明は、特に、第１の発明の補助吸い込み部の筒状壁の一部に少なくと１つの開口を設けたもので、その開口より塵埃を吸引して、掃除機の使用性を高めることができる。
【００１２】
第３の発明は、特に、第１又は第２の発明の補助吸い込み部に、前記補助吸い込み部の前方開口を閉塞するフタを設けたもので、筒状壁面に設けた開口における吸引力が高まり、使用性を高めることができる。
【００１３】
第４の発明は、特に、第３の発明のフタの一部に開口部を設けたもので、開口部より流入する空気により筒状壁面に設けた開口部における吸引力が適度に弱められ、カーテンなどの掃除対象物が使用者の意図に反して先端パイプや電気掃除機内に吸い込まれるチャンスを減らすことができる。
【００１４】
第５の発明は、特に、第４の発明の開口部に格子を設けたもので、格子の開口サイズよりも大きいものと小さいものを選択的に吸引することができるので、第２の補助吸い込み具用開口として使用することができる。
【００１５】
第６の発明は、特に、第１〜５のいずれか１つの発明の補助吸い込み部を先端パイプに着脱自在としたもので、別の補助吸い込み部をその形状を問わず先端パイプに選択的に取り付けることができる。
【００１６】
第７の発明は、特に、第１〜６のいずれか１つの発明の補助吸い込み部の延長管側端面を下部が上部より突出するように略斜め形状としたもので、補助吸い込み部で吸引しようとする対象物を視覚的に確認するのが容易となり、使用性を高めることができる。
【００１７】
第８の発明は、特に、第１〜７のいずれか１つの発明の補助吸い込み部の延長管側端部の少なくとも下部に斜め下方に突出するブラシを設けたもので、狭いところに入り込んだ対象物を一旦掻き出し、しかる後に吸い込むといった一連動作がひとつの道具で行うことができる。
【００１８】
第９の発明は、特に、第３〜８のいずれか1つの発明のフタを補助吸い込み部に回動自在に取りつけたもので、シンプルな構成となるために廉価で耐久性に優れた製品とすることができる。
【００１９】
第１０の発明は、特に、第９の発明のフタの回動軸を補助吸い込み部の下部に取り付けたもので、フタが収納される部分が延長管の下部となるため、使用者の視点から補助吸い込み部付近を見たときに見た目のスッキリ感の高い製品とすることができる。
【００２０】
第１１の発明は、特に、第９又は第１０の発明のフタを補助吸い込み部の前方開口を閉塞する方向に付勢するバネ体を設けたもので、延長管を取り外した時にフタが自動的に前方開口を閉じるので、非常に使用勝手がよいものである。
【００２１】
第１２の発明は、特に、第１１の発明のフタが前方開口を閉塞した時に、延長管の先端パイプ側端面に対して傾斜しているようにしたもので、延長管の端部でのフタの押し開き動作がスムーズにできるため使用性を高くすることができる。
【００２２】
第１３の発明は、特に、第１２の発明のフタの閉塞時における傾斜角度を、補助吸い込み部の延長管側端面の傾斜角度と略同一に設定したもので、無駄なスペースを排しコンパクトで使用性の高い電気掃除機とすることができる。
【００２３】
以下、本発明の実施の形態について、図面を参照しながら説明する。なお、この実施の形態によって本発明が限定されるものではない。
【００２４】
（実施の形態１）
図１は本発明の第１の実施の形態における電気掃除機の全体側面図、図２は同電気掃除機の補助吸い込み具とその周辺の側面図を示すものである。
【００２５】
図１において、１は掃除機本体（以下「本体１」という）で、塵埃を捕集する集塵部（図示せず）と、吸引風を生成する電動送風機（図示せず）を内蔵し、吸い込み具の１つである床用吸い込み具５とは、ホース２と延長管４を介して接続されている。ホース２の延長管４が接続される側には先端パイプ３が設けられ、その端部に延長管４が接続されている。また、同先端パイプ３の端部には、延長管４の端部外周を覆うように補助吸い込み部となる補助吸い込み具６が設けられている。
【００２６】
次に、補助吸い込み具６の詳細な構成及び、補助吸い込み具６と延長管４との詳細な接続構成について説明する。
【００２７】
図２（ａ）（ｂ）において、ケース７は補助吸い込み具６の主体を成すもので、略筒状に形成してその後端を前記先端パイプ３に装着してある。このケース７は当該ケース７の前部が先端パイプ３の端部よりも常時前方に突出するように、かつ、前後方向に摺動自在ではなく固定的に装着してある。そしてそのケース７の前端面７ａは上方に行くに従って後退する向きに傾斜、すなわち下部が上部より突出するように傾斜させてあり、ケース７の下面には補助吸い込み口８が設けてある。そしてケース７の前端面７ａの近傍にはフタ９が設けられている。
【００２８】
フタ９は下端部に設けた軸９ａを介してケース７に回動自在に取着されており、その稼動範囲は、図示のＡからＢの間となっている。軸９ａ近傍にはバネ１４が設けられ、フタ９をＢからＡの向きに回動する方向に付勢している。またフタ９には開口面１０が設けられ、さらにこの開口面１０は、格子１１によって多数の開口部１０ａに分割されている。
【００２９】
一方、先端パイプ３端部の補助吸い込み具６が取り付けられる部分には突起１２が設けられ、相対する補助吸い込み具６側には係合穴１３を設けて、既述したように補助吸い込み具６が先端パイプ３の端部よりも常時前方に突出するように、かつ、前後方向に摺動自在ではなく固定的に装着してしてある。また、ケース７の下方前端部にはブラシ１５が斜め下方に突出するように設けられている。
【００３０】
以上のように構成された電気掃除機について、以下その動作、作用を説明する。
【００３１】
図２（ａ）において、Ａは、延長管４が取り付けられていない、つまり補助吸い込み具６の使用状態におけるフタ９の位置である。延長管４を先端パイプ３に装着するためにケース７の前方開口７ｂより挿入していくと、図２（ｂ）に示すようにフタ９が傾斜しているので、延長管４の下端部４ａがフタ９に当接し、下端部４ａはフタ９の傾斜に沿って少し滑りつつ、フタ９を押し下げるような動きとなり、フタ９がＡの位置からＢの位置にまで倒れ、延長管４が補助吸い込み具６のケース７内を貫通して先端パイプ３に接続される。このとき補助吸い込み具６は従来のように前後方向に摺動することはなく、従って、この補助吸い込み具６は延長管４が嵌合、好ましくは延長管４外周との間に隙間を持って遊嵌する程度の単純な略筒状にすればよいものである。なお、前記延長管４が先端パイプ３に接続された状態ではフタ９はケース７下部の延長管４の下方に位置する格納部１６内に格納された状態となる。
【００３２】
また延長管４を接続された状態から外すと、フタ９はバネ１４によって付勢されているのでＢからＡの位置に起き上がり、ケース７の前方開口７ｂを閉塞する。このとき前端面７ａに設けた傾斜とフタ９のＡの位置における傾斜の角度はほぼ一致させており、従って、フタ９がＡの位置にあるとき、ケース７内のフタ９より前側にはほとんど空間が残らないので、補助吸い込み具６のサイズを必要最小限とすることができるものである。
【００３３】
またフタ９には開口面１０が設けられており、かつフタ９は補助吸い込み具６の使用状態においてはＡの位置にあるので、電気掃除機運転時に、吸引空気は補助吸い込み口８と開口面１０の双方から掃除機本体１内に導入される。
【００３４】
先端パイプ３端部に設けられた突起１２は、ケース７に設けられた係合穴１３に陥入することで、補助吸い込み具６を先端パイプ３に保持しており、また突起１２を十分に低く設けることで、補助吸い込み具６は前方に強く引くことによって先端パイプ３より簡単に取り外すことができるようになっている。これにより、補助吸い込み具６を取り付けたままの状態では、互いに干渉し使用不可能となる形状を有する別の吸い込み具も、必要に応じて選択し、先端パイプ３に接続する事ができる。
【００３５】
また、フタ９を図のように傾斜させているために、取り付け時に延長管４、および先端パイプ３を保持する手に加わる衝撃が緩和され、装着感が良く、かつフタ９の軸９ａに装着毎に加わる応力も低減され、耐久性に優れた電気掃除機を提供することができる。
【００３６】
図３は、補助吸い込み具６の使用状態を示す側面図である。
【００３７】
図３（ａ）において、隅部１７近傍の吸引対象物１８を補助吸い込み具６を使用して吸引しようとする際、補助吸い込み具６の先端形状がＣのような形状を持つ場合、補助吸い込み具６を吸引対象物１８に近づけるに従って使用者の視点１９から吸引対象物１８が遮られるが、本実施の形態では、図３（ｂ）に示すように、Ｃの部分がカットされたように前端面７ａが傾斜しているので、吸引対象物１８が吸引される直前まで目視確認しながら吸引作業をすることができる。
【００３８】
図３（ｂ）において、ブラシ１５を隅部１７に当てがい、しかる後に手前に引く動作をすることで吸引対象物１８を補助吸い込み口８の下方に寄せ集めることで、効率よく取り残しの少ない掃除作業を実施することができる。
【００３９】
図４は、本実施の形態における補助吸い込み具６の第２の使用状態を示す概略断面図である。
【００４０】
図４（ａ）において、補助吸い込み具６は開口面１０および格子１１のある面が吸引対象物１８に向けられている。この状態で電気掃除機を運転することで図４（ｂ）に示すように、開口部１０ａの開口面積より大きな対象物１８ｂは開口部１０ａを通過せず、開口部１０ａの開口面積より小さな対象物１８ａが、選択的に電気掃除機内に吸引される。これにより、例えば事務机の引出し等を掃除する際に、筆記具、消しゴム、クリップなど開口部１０ａの開口面積よりも大きなものと、消しゴムのかすや、圧縮性があり吸引時に開口部１０ａをすり抜ける綿ぼこりのようなものを事前に分別するといった作業前準備が不要で、直ちに掃除作業に取りかかる事ができる。
【００４１】
以上のように、本実施の形態によれば、先端パイプ３と延長管４の接続部の先端パイプ３側端部に、延長管４接続時に延長管４の外側に覆い被さる形で筒状の補助吸い込み具６を設けることにより、従来の構成では必要であった着脱機構部の部品を減らすことが出来るため、製品の重量、コストを削減し、低価格でありながら使用性や信頼性の高い電気掃除機を提供することができる。
【産業上の利用可能性】
【００４２】
以上のように、本発明にかかる電気掃除機は、構造が簡素化され、部品数削減による重量やコストの低下効果、製品の品質確保に必要な管理項目や評価項目の減少による信頼性の向上や開発の迅速化が図れ、低価格でありながら使用性や信頼性の優れているもので、家庭用、業務用、店舗用の各種電気掃除機に適用できるるものである。
【図面の簡単な説明】
【００４３】
【図１】本発明の電気掃除機の全体側面図
【図２】（ａ）同電気掃除機の補助吸い込み具とその周辺の側面図（延長管接続時）、（ｂ）同補助吸い込み具とその周辺の側面図（延長管装着時）
【図３】（ａ）同補助吸い込み具使用状態の側面図（使用者の視線との関係を示す）、（ｂ）同補助吸い込み具使用状態の側面図（ブラシの作用を示す）
【図４】（ａ）同電気掃除機の補助吸い込み具の第２の使用状態を示す断面図（吸引前）、（ｂ）同補助吸い込み具の第２の使用状態を示す断面図（吸引後）
【図５】従来の電気掃除機の全体側面図
【図６】同電気掃除機の補助吸い込み具の断面図
【符号の説明】
【００４４】
１  本体
２  ホース
３  先端パイプ
４  延長管
６  補助吸い込み具（補助吸い込み部）
７  ケース
８  補助吸い込み口（開口）
９  フタ
【図１】
2005334414.tif 000003
【図２】
2005334414.tif 000004
【図３】
2005334414.tif 000005
【図４】
2005334414.tif 000006
【図５】
2005334414.tif 000007
【図６】
2005334414.tif 000008